(57)【要約】【課題】門を自動的に閉鎖すること。【解決手段】船舶が入港し、かつ汚染物質が流入する湾内の汚染水を管理する汚染水管理システムであって、湾内と湾内の外とを繋げ、船舶が通過可能な通路と、通路に設置された第１ゲートと、通路の第１ゲートよりも湾内側に配置され、第１ゲートとの間にゲート内領域を形成する第２ゲートと、第１ゲートと第２ゲートの少なくとも一方を閉じた状態で、第１ゲートと第２ゲートの開閉を制御する制御装置と、を有する。【選択図】図２
2015190153.tif 000002
【特許請求の範囲】
【請求項１】
船舶が入港し、かつ汚染物質が流入する湾内の汚染水を管理する汚染水管理システムであって、
前記湾内と前記湾内の外とを繋げ、前記船舶が通過可能な通路と、
前記通路に設置された第１ゲートと、
前記通路の前記第１ゲートよりも前記湾内側に配置され、前記第１ゲートとの間にゲート内領域を形成する第２ゲートと、
前記第１ゲートと前記第２ゲートの少なくとも一方を閉じた状態で、前記第１ゲートと前記第２ゲートの開閉を制御する制御装置と、を有することを特徴とする汚染水管理システム。
【請求項２】
前記ゲート内領域の汚染物質濃度を計測する濃度計を有し、
前記制御装置は、前記濃度計の計測結果が設定した閾値以上である場合、前記第１ゲートを開かないことを特徴とする請求項１に記載の汚染水管理システム。
【請求項３】
前記ゲート内領域の水を前記湾内に排出する湾内側排水機構と、
前記湾内の外から前記ゲート内領域に水を供給する湾外側給水機構と、を有し、
前記制御装置は、前記濃度計の計測結果が設定した閾値以上である場合、前記湾内側排水機構により前記ゲート内領域の水を前記湾内に排出しつつ、前記湾外側給水機構により前記湾内の外から前記ゲート内領域に水を供給することを特徴とする請求項２に記載の汚染水管理システム。
【請求項４】
前記ゲート内領域の水を前記湾内に排出する湾内側排水機構を有し、
前記制御装置は、前記湾内側排水機構により前記ゲート内領域の水を前記湾内に排出することを特徴とする請求項１に記載の汚染水管理システム。
【請求項５】
前記湾内の外から前記ゲート内領域に水を供給する湾外側給水機構を有し、
前記制御装置は、前記湾内側排水機構により前記ゲート内領域の水を前記湾内に排出しつつ、前記湾外側給水機構により前記湾内の外から前記ゲート内領域に水を供給することを特徴とする請求項４に記載の汚染水管理システム。
【請求項６】
前記湾外側給水機構は、前記湾内の外と前記ゲート内領域を繋げる配管と、前記配管に設置され、前記配管の開閉を制御するバルブと、を有することを特徴とする請求項２、３及び５に記載の汚染水管理システム。
【請求項７】
前記湾外側給水機構は、前記湾内の外と前記ゲート内領域を繋げる配管と、前記配管に設置され、前記湾内の外から前記ゲート内領域に向けて水を流すポンプと、を有することを特徴とする請求項２、３及び５に記載の汚染水管理システム。
【請求項８】
前記湾外側給水機構は、前記第１ゲートであり、
前記制御装置は、前記ゲート内領域の水位を前記湾内の外の水位よりも低い状態で、前記第１ゲートを開き、前記湾内の外から前記ゲート内領域に水を供給することを特徴とする請求項２、３及び５に記載の汚染水管理システム。
【請求項９】
前記ゲート内領域の水から汚染物質を除去する浄化装置をさらに有し、
前記制御装置は、前記浄化装置で前記ゲート内領域の水から汚染物質を除去することを特徴とする請求項１から８のいずれか一項に記載の汚染水管理システム。
【請求項１０】
船舶が入港し、かつ汚染物質が流入する湾内の汚染水を管理する汚染水管理方法であって、
前記湾内と前記湾内の外とを繋げ、前記船舶が通過可能な通路に設置された第１ゲートと、前記通路の前記第１ゲートよりも前記湾内側に配置され、前記第１ゲートとの間にゲート内領域を形成する第２ゲートとの両方を閉じるステップと、
前記第１ゲートと前記第２ゲートの両方を閉じた後、前記第１ゲートと前記第２ゲートの一方を開くステップと、を有することを特徴とする汚染水管理方法。
【発明の詳細な説明】
【技術分野】
【０００１】
本発明は、船舶が入港する湾内の汚染水を管理する汚染水管理システム及び汚染水管理方法に関する。
【背景技術】
【０００２】
船舶が入港する湾は、湖、河川、海等の陸地の近傍に形成されている。このような湾には、船舶によって資材が供給され、稼働される各種プラントが設けられている場合がある。このようなプラントに事故等が生じ、プラントで生成された汚染物質が湾内に流入する場合がある。湾内に流入した汚染物質は、水の流れや、海洋生物によって湾外に流出することで、汚染されている領域が広がる。
【０００３】
ここで、水の流れをせき止める機構としては、水門等のゲートがある。船舶が移動する河川、運河に設けられるものとしては、内部に船舶を配置した状態で河川等との流れを分断できる二重ゲートがある（特許文献１、２参照）。
【先行技術文献】
【特許文献】
【０００４】
【特許文献１】特開２００２−２９４６７３号公報
【特許文献２】特許第２７１１２９９号
【発明の概要】
【発明が解決しようとする課題】
【０００５】
ここで、湾内は、ゲート等を設置し、湾内を湾外（湾の外）から分離することで、塞ぐことができる。しかしながら、船舶が通れない状態では、湾内での作業に問題や不都合が生じる場合がある。
【０００６】
本発明は上述した課題を解決するものであり、湾内の汚染水が湾内の外に漏れることを抑制することができる汚染水管理システム及び汚染水管理方法を提供することを目的とする。
【課題を解決するための手段】
【０００７】
上述の目的を達成するために、本発明は、船舶が入港し、かつ汚染物質が流入する湾内の汚染水を管理する汚染水管理システムであって、前記湾内と前記湾内の外とを繋げ、前記船舶が通過可能な通路と、前記通路に設置された第１ゲートと、前記通路の前記第１ゲートよりも前記湾内側に配置され、前記第１ゲートとの間にゲート内領域を形成する第２ゲートと、前記第１ゲートと前記第２ゲートの少なくとも一方を閉じた状態で、前記第１ゲートと前記第２ゲートの開閉を制御する制御装置と、を有することを特徴とする。
【０００８】
これにより、湾内と湾外が直接つながることを抑制できるため、湾内の水が湾外に流出することを抑制できる。また、２つのゲートの開閉を制御することで、船舶も通過することができる。船舶が湾内と湾外とを行き来できる状態を維持しつつ、湾内の汚染水が湾内の外に漏れることを抑制することができる。
【０００９】
ここで、前記ゲート内領域の汚染物質濃度を計測する濃度計を有し、前記制御装置は、前記濃度計の計測結果が設定した閾値以上である場合、前記第１ゲートを開かないことが好ましい。これにより、汚染物質の湾外への流出をより低減することができる。
【００１０】
また、前記ゲート内領域の水を前記湾内に排出する湾内側排水機構と、前記湾内の外から前記ゲート内領域に水を供給する湾外側給水機構と、を有し、前記制御装置は、前記濃度計の計測結果が設定した閾値以上である場合、前記湾内側排水機構により前記ゲート内領域の水を前記湾内に排出しつつ、前記湾外側給水機構により前記湾内の外から前記ゲート内領域に水を供給することが好ましい。これにより、汚染物質の湾外への流出をより低減することができる。
【００１１】
また、前記ゲート内領域の水を前記湾内に排出する湾内側排水機構を有し、前記制御装置は、前記湾内側排水機構により前記ゲート内領域の水を前記湾内に排出することが好ましい。これにより、汚染物質の湾外への流出をより低減することができる。
【００１２】
また、前記湾内の外から前記ゲート内領域に水を供給する湾外側給水機構を有し、前記制御装置は、前記湾内側排水機構により前記ゲート内領域の水を前記湾内に排出しつつ、前記湾外側給水機構により前記湾内の外から前記ゲート内領域に水を供給することが好ましい。これにより、汚染物質の湾外への流出をより低減することができる。
【００１３】
また、前記湾外側給水機構は、前記湾内の外と前記ゲート内領域を繋げる配管と、前記配管に設置され、前記配管の開閉を制御するバルブと、を有することが好ましい。これにより、簡単な構成で実現することができる。
【００１４】
また、前記湾外側給水機構は、前記湾内の外と前記ゲート内領域を繋げる配管と、前記配管に設置され、前記湾内の外から前記ゲート内領域に向けて水を流すポンプと、を有することが好ましい。これにより、簡単な構成で実現することができる。
【００１５】
また、前記湾外側給水機構は、前記第１ゲートであり、前記制御装置は、前記ゲート内領域の水位を前記湾内の外の水位よりも低い状態で、前記第１ゲートを開き、前記湾内の外から前記ゲート内領域に水を供給することが好ましい。これにより、給水のための機構を新たに設ける必要が無くなり装置構成を簡単にすることができる。
【００１６】
また、前記ゲート内領域の水から汚染物質を除去する浄化装置をさらに有し、前記制御装置は、前記浄化装置で前記ゲート内領域の水から汚染物質を除去することが好ましい。これにより、汚染物質の湾外への流出をより低減することができる。
【００１７】
上述の目的を達成するために、本発明は、船舶が入港し、かつ汚染物質が流入する湾内の汚染水を管理する汚染水管理方法であって、前記湾内と前記湾内の外とを繋げ、前記船舶が通過可能な通路に設置された第１ゲートと、前記通路の前記第１ゲートよりも前記湾内側に配置され、前記第１ゲートとの間にゲート内領域を形成する第２ゲートとの両方を閉じるステップと、前記第１ゲートと前記第２ゲートの両方を閉じた後、前記第１ゲートと前記第２ゲートの一方を開くステップと、を有することを特徴とする。
【００１８】
これにより、湾内と湾外が直接つながることを抑制できるため、湾内の水が湾外に流出することを抑制できる。また、２つのゲートの開閉を制御することで、船舶も通過することができる。船舶が湾内と湾外とを行き来できる状態を維持しつつ、湾内の汚染水が湾内の外に漏れることを抑制することができる。
【発明の効果】
【００１９】
本発明によれば、船舶が湾内と湾外とを行き来できる状態を維持しつつ、湾内の汚染水が湾内の外に漏れることを抑制することができる。
【図面の簡単な説明】
【００２０】
【図１】図１は、汚染水管理システムが設置された港湾の概略構成を示す模式図である。
【図２】図２は、汚染水管理システムの概略構成を示す上面図である。
【図３】図３は、汚染水管理システムの他の実施形態の概略構成を示す上面図である。
【図４】図４は、図３に示す汚染水管理システムの概略構成を示す断面図である。
【図５】図５は、汚染水管理システムの処理動作の一例を示すフローチャートである。
【図６】図６は、汚染水管理システムの他の実施形態の概略構成を示す上面図である。
【図７】図７は、図６に示す汚染水管理システムの概略構成を示す断面図である。
【図８】図８は、汚染水管理システムの処理動作の一例を示すフローチャートである。
【図９】図９は、汚染水管理システムの処理動作の一例を示すフローチャートである。
【図１０】図１０は、汚染水管理システムの処理動作の一例を示すフローチャートである。
【図１１】図１１は、汚染水管理システムの処理動作の一例を示すフローチャートである。
【図１２】図１２は、汚染水管理システムの処理動作を説明するための説明図である。
【図１３】図１３は、汚染水管理システムの処理動作の一例を示すフローチャートである。
【図１４】図１４は、汚染水管理システムの処理動作の一例を示すフローチャートである。
【図１５】図１５は、汚染水管理システムの他の実施形態の概略構成を示す上面図である。
【図１６】図１６は、図１５に示す汚染水管理システムの概略構成を示す断面図である。
【図１７】図１７は、汚染水管理システムの処理動作の一例を示すフローチャートである。
【発明を実施するための形態】
【００２１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。また、本発明は、各種実施形態を適宜組み合わせるものが含まれる。本実施形態は、外洋と繋がっている港湾に汚染水管理システムを設けた場合として説明するが、水が流れている領域と繋がっており、船舶が入港する湾であればよく、河川、湖等に形成された湾に設けてもよい。また、汚染物質を排出する施設として原子力施設６を用いるが、これに限定されず、各種化学プラントや製造プラントとしてもよい。また、汚染物質は、基本的に施設に深刻な損傷が生じた場合に排出される場合を想定しているが常時排出されていてもよい。
【００２２】
図１は、汚染水管理システムが設置された港湾の概略構成を示す模式図である。図１に示すように、汚染水管理システム１０は、外洋（湾外）１に接した陸地２に設けられた防波堤４で囲まれた港湾（湾内）５の出入口に設置されている。つまり、汚染水管理システム１０は、両端が防波堤４と繋がっている。港湾５は、陸地２と防波堤４と汚染水管理システム１０に囲まれている。港湾５は、開閉可能な汚染水管理システム１０が設けられている部分以外は、外洋１と繋がっていない。また本実施形態では、港湾５に汚染水管理システム１０を１つ設置した場合としたが、１つの港湾５に複数の汚染水管理システム１０を設置してもよい。
【００２３】
また、港湾５に隣接した陸地２には、原子力施設（汚染物質排出施設）６が設置されている。原子力施設６は、取水口８を介して港湾５内の海水を取水する。さらに港湾５には、船舶が陸地２に接岸するための船舶係止領域９が設けられている。船舶は、汚染水管理システム１０を通過して外洋１から港湾５に入港し、汚染水管理システム１０を通過して港湾５から外洋１に出港する。
【００２４】
ここで、原子力施設６は、深刻な損傷が生じると汚染物質を外部に排出される。原子力施設６から排出された汚染物質、例えば放射性物質は、一部が港湾５内に流入する。港湾５は、汚染物質が流入することで、湾内の水が汚染され、汚染水となる。
【００２５】
以下、図２を用いて、汚染水管理システム１０について説明する。図２は、汚染水管理システムの概略構成を示す上面図である。汚染水管理システム１０は、汚染水となった港湾５内の水を管理し、港湾５の汚染水の外洋１への流出を管理し、抑制する。汚染水管理システム１０は、図２に示すように通路２０と、外洋側ゲート（第１ゲート）２２と、港湾側ゲート（第２ゲート）２４と、制御装置（ゲート管理装置）２８と、を有する。
【００２６】
通路２０は、防波堤４に繋がった壁面を有し、船舶１２が通過できる経路となる。通路２０は、外洋１と港湾５とを繋いでいる。通路２０は、コンクリート等で形成されている。通路２０は、底面（海底となる面）を平坦とすることが好ましい。
【００２７】
外洋側ゲート２２は、通路２０の外洋１側に設置されている。外洋側ゲート２２は、鉛直方向に延びた１本の軸を中心に扉体を回転させることで、開閉する。外洋側ゲート２２は、開状態となることで、通路２０と外洋１とを繋げ、通路２０と外洋１との間で海水が流れる状態とする。外洋側ゲート２２は、閉状態となることで、通路２０と外洋１とを分離し、通路２０と外洋１との間で海水が流れない状態とする。
【００２８】
港湾側ゲート２４は、通路２０の港湾５側、つまり外洋側ゲート２２よりも港湾５側に設置されている。港湾側ゲート２４は、鉛直方向に延びた１本の軸を中心に扉体を回転させることで、開閉する。港湾側ゲート２４は、開状態となることで、通路２０と港湾５とを繋げ、通路２０と港湾５との間で海水が流れる状態とする。港湾側ゲート２４は、閉状態となることで、通路２０と港湾５とを分離し、通路２０と港湾５との間で海水が流れない状態とする。
【００２９】
汚染水管理システム１０は、通路２０と、外洋側ゲート２２と、港湾側ゲート２４と、で囲まれた領域がゲート内領域２６となる。ゲート内領域２６は、外洋側ゲート２２と港湾側ゲート２４との両方が閉じている状態では、外洋１と港湾５と分離された状態となる。ゲート内領域２６は、外洋側ゲート２２が開き、港湾側ゲート２４が閉じている状態では、港湾５と分離され、外洋１と繋がった状態となる。ゲート内領域２６は、外洋側ゲート２２が閉じ、港湾側ゲート２４が開いている状態では、港湾５と繋がり、外洋１と分離された状態となる。
【００３０】
制御装置２８は、外洋側ゲート２２と港湾側ゲート２４との開閉を制御する。例えば、船舶１２が外洋１から港湾５に入港する場合、制御装置２８は、外洋側ゲート２２と港湾側ゲート２４との両方を閉じた状態とした後、外洋側ゲート２２のみを開く。これにより、船舶１２ａに示すようにゲート内領域２６に船舶１２ａが移動可能な状態とする。その後、制御装置２８は、外洋側ゲート２２を閉じて外洋側ゲート２２と港湾側ゲート２４との両方を閉じた状態とした後、港湾側ゲート２４のみを開く。これにより、船舶１２ｂに示すように港湾５内に船舶１２ｂが移動可能な状態とする。
【００３１】
汚染水管理システム１０は、このように外洋１と港湾５とを繋げる通路２０に外洋側ゲート２２と港湾側ゲート２４とを設けることで、港湾５内の汚染水が外洋１に漏れることを抑制できる。また、汚染水管理システム１０は、外洋１と港湾５とを繋げる通路２０に外洋側ゲート２２と港湾側ゲート２４とを設け、外洋側ゲート２２と港湾側ゲート２４との開閉を制御することで、船舶１２が外洋１から港湾５内にまたはその逆に移動可能とする。また、ゲートを上記のように開閉し、外洋側ゲート２２と港湾側ゲート２４を同時に開状態としないことで、港湾５の汚染水が自由に外洋１に排出されることを抑制でき、汚染水の流出を抑制することができる。以上より汚染水管理システム１０は、船舶が湾内と湾外とを行き来できる状態を維持しつつ、湾内の汚染水が湾内の外に漏れることを抑制することができる。
【００３２】
ここで、上記実施形態では、外洋側ゲート２２と港湾側ゲート２４とをそれぞれ鉛直方向に延びた１本の軸を中心に扉体を回転させることで、開閉する機構としたがこれに限定されない。汚染水管理システム１０は、外洋側ゲート２２と港湾側ゲート２４として種々の機構を用いることができる。例えば、上記実施形態では扉体を１枚としたが複数枚の扉体が観音開きで開く構造としてもよい。また、外洋側ゲート２２と港湾側ゲート２４とは、扉体を鉛直方向に移動させてもよい。
【００３３】
図３は、汚染水管理システムの他の実施形態の概略構成を示す上面図である。図４は、図３に示す汚染水管理システムの概略構成を示す断面図である。図３及び図４に示す汚染水管理システム１０ａは、外洋側ゲート２２ａと港湾側ゲート２４ａ以外の構成は、汚染水管理システム１０と同様の構成であるので説明を省略する。外洋側ゲート２２ａと港湾側ゲート２４ａが設けられる位置は、外洋側ゲート２２と港湾側ゲート２４と同じ位置である。
【００３４】
外洋側ゲート２２ａは、扉体４０と、扉体４０を駆動する駆動機構４２と、を有する。扉体４０は、通路２０の海水が流れる領域を塞ぐことができる板状の部材である。駆動機構４２は、扉体４０を上下方向に移動させる。外洋側ゲート２２ａは、駆動機構４２により、扉体４０を図４の実線の位置に配置することで、通路２０を塞ぐ。また、外洋側ゲート２２ａは、駆動機構４２により、扉体４０を図４の点線の位置に配置することで、通路２０を開き、かつ、船舶等が通過できる状態とする。
【００３５】
港湾側ゲート２４ａは、外洋側ゲート２２ａと同様の構造であり、扉体４４と、扉体４４を駆動する駆動機構４６と、を有する。扉体４４は、通路２０の海水が流れる領域を塞ぐことができる板状の部材である。駆動機構４６は、扉体４４を上下方向に移動させる。港湾側ゲート２４ａは、駆動機構４６により、扉体４４を図４の実線の位置に配置することで、通路２０を塞ぐ。また、港湾側ゲート２４ａは、駆動機構４６により、扉体４４を図４の点線の位置に配置することで、通路２０を開き、かつ、船舶等が通過できる状態とする。
【００３６】
汚染水管理システム１０ａは、扉体４０、４４を鉛直方向に移動させる機構の外洋側ゲート２２ａと港湾側ゲート２４ａとを用いた場合も上記と同様の動作を実行することができる。また、上記実施形態では、扉体４０、４４を水面よりも高い位置まで移動させて、通路２０を繋がった状態としたが、扉体４０、４４を水面よりも低い位置まで移動させて通路２０を繋がった状態としてもよい。
【００３７】
次に、図５を用いて、汚染水管理システムの処理動作について説明する。図５は、汚染水管理システムの処理動作の一例を示すフローチャートである。以下では、汚染水管理システム１０ａで実行する処理として説明するが、汚染水管理システム１０でも同様の処理を実行することができる。また、図５に示す処理動作は、制御装置２８が検出した指示に基づいて各部の動作を制御することで実行することができる。
【００３８】
制御装置２８は、港湾側ゲート２４ａの開指示、つまり港湾側ゲート２４ａを開く指示があるかを判定する（ステップＳ１２）。制御装置２８は、港湾側ゲート２４ａの開指示がない（ステップＳ１２でＮｏ）と判定した場合、ステップＳ２０に進む。制御装置２８は、港湾側ゲート２４ａの開指示がある（ステップＳ１２でＹｅｓ）と判定した場合、外洋側ゲート２２ａが閉状態であるかを判定する（ステップＳ１４）。制御装置２８は、外洋側ゲート２２ａが閉状態ではない（ステップＳ１４でＮｏ）、つまり外洋側ゲート２２ａが開いていると判定した場合、外洋側ゲート２２ａを閉じて（ステップＳ１６）、ステップＳ１８に進む。制御装置２８は、外洋側ゲート２２ａが閉状態である（ステップＳ１４でＹｅｓ）と判定した場合、または外洋側ゲート２２ａを閉じた場合、港湾側ゲート２４ａを開く（ステップＳ１８）。
【００３９】
制御装置２８は、港湾側ゲート２４ａの開指示がない（ステップＳ１２でＮｏ）と判定した場合、または港湾側ゲート２４ａを開いた場合、外洋側ゲート２２ａの開指示、つまり外洋側ゲート２２ａを開く指示があるかを判定する（ステップＳ２０）。制御装置２８は、外洋側ゲート２２ａの開指示がない（ステップＳ２０でＮｏ）と判定した場合、本処理を終了する。制御装置２８は、外洋側ゲート２２ａの開指示がある（ステップＳ２０でＹｅｓ）と判定した場合、港湾側ゲート２４ａが閉状態であるかを判定する（ステップＳ２２）。制御装置２８は、港湾側ゲート２４ａが閉状態ではない（ステップＳ２２でＮｏ）、つまり港湾側ゲート２２ａが開いていると判定した場合、港湾側ゲート２２ａを閉じて（ステップＳ２４）、ステップＳ２６に進む。制御装置２８は、港湾側ゲート２４ａが閉状態である（ステップＳ２２でＹｅｓ）と判定した場合、または港湾側ゲート２４ａを閉じた場合、外洋側ゲート２２ａを開く（ステップＳ２６）。
【００４０】
汚染水管理システム１０、１０ａは、図５に示す処理に基づいて、外洋側ゲート２２、２２ａと港湾側ゲート２４、２４ａの開閉を制御することで、上述したように外洋１と港湾５とが汚染水管理システム１０、１０ａを介して繋がることを抑制することができる。これにより、港湾５から外洋１に流出する汚染水を低減することができる。また、汚染水管理システム１０、１０ａは、図５に示す処理に基づいて、外洋側ゲート２２、２２ａと港湾側ゲート２４、２４ａの開閉を制御することで、外洋１とゲート内領域２６とが繋がっており、ゲート内領域２６と港湾５とが繋がっていない状態と、ゲート内領域２６が外洋１、港湾５と分離されている状態と、ゲート内領域２６と港湾５とが繋がっており、外洋１とゲート内領域２６とが繋がっていない状態とを切り換えることができる。これにより上述したように汚染水管理システム１０、１０ａを船舶が通過することができ、外洋１と港湾５とを行き来することができる。また、ゲート内領域２６が外洋１、港湾５と分離されている状態ができることで、港湾５の汚染水が外洋１に流出してしまう場合もゲート内領域２６にある汚染水のみとすることができ、流出する汚染水を低減することができる。
【００４１】
図６は、汚染水管理システムの他の実施形態の概略構成を示す上面図である。図７は、図６に示す汚染水管理システムの概略構成を示す断面図である。図６及び図７に示す汚染水管理システム１０ｂは、汚染水管理システム１０ａにさらに各種機構を追加したものである。汚染水管理システム１０ｂの中で、汚染水管理システム１０ａと同様の構成には、同様の符号を付して説明を省略する。
【００４２】
図６及び図７に示す汚染水管理システム１０ｂは、通路２０と、外洋側ゲート（第１ゲート）２２ａと、港湾側ゲート（第２ゲート）２４ａと、制御装置２８と、濃度計５０と、排水機構５２と、給水機構５４と、排水機構５６と、給水機構５８と、を有する。なお、図６及び図７に示す各部は模式的に示しているものであり、排水機構５２と、給水機構５４と、排水機構５６と、給水機構５８の各部の配置位置は、図の位置に限定されない。
【００４３】
濃度計５０は、ゲート内領域２６の管理対象である汚染物質（例えば放射性物質）の濃度を計測する。
【００４４】
排水機構５２は、配管５２ａと、ポンプ５２ｂと、を有する。配管５２ａは、ゲート内領域２６と外洋１とを繋いでいる。ポンプ５２ｂは、配管５２ａに設けられ、配管５２ａ内にゲート内領域２６から外洋１に向けた水の流れを形成する。排水機構５２は、ポンプ５２ｂを駆動し、配管５２ａに所定の方向の水の流れを形成することで、ゲート内領域２６の水を外洋１に排出する。また、排水機構５２は、配管５２ａに逆止弁や、開閉弁を設け、逆方向に水が流れたり、停止時に確実に水が流れたりしないようにすることが好ましい。なお、排水機構５２は、逆方向つまり外洋１からゲート内領域２６に水を流してもよい。
【００４５】
給水機構５４は、配管５４ａと、バルブ５４ｂと、を有する。配管５４ａは、ゲート内領域２６と外洋１とを繋いでいる。バルブ５４ｂは、配管５４ａに設けられ、配管５４ａの開閉を制御する。給水機構５４は、バルブ５４ｂの開閉を制御し、配管５４ａ内を水が流れる状態と流れない状態とを切り換える。給水機構５４は、バルブ５４ｂを開くことで、ゲート内領域２６と外洋１との間で水が流れる状態とする。また、給水機構５４は、配管５４ａに逆止弁を設け、所定の方向以外に水が流れないようにすることが好ましい。
【００４６】
排水機構５６は、配管５６ａと、ポンプ５６ｂと、を有する。配管５６ａは、ゲート内領域２６と港湾５とを繋いでいる。ポンプ５６ｂは、配管５６ａに設けられ、配管５６ａ内にゲート内領域２６から港湾５に向けた水の流れを形成する。排水機構５６は、ポンプ５６ｂを駆動し、配管５６ａに所定の方向の水の流れを形成することで、ゲート内領域２６の水を港湾５に排出する。また、排水機構５６は、配管５６ａに逆止弁や、開閉弁を設け、逆方向に水が流れたり、停止時に確実に水が流れたりしないようにすることが好ましい。なお、排水機構５６は、逆方向つまり港湾５からゲート内領域２６に水を流してもよい。
【００４７】
給水機構５８は、配管５８ａと、バルブ５８ｂと、を有する。配管５８ａは、ゲート内領域２６と港湾５とを繋いでいる。バルブ５８ｂは、配管５８ａに設けられ、配管５８ａの開閉を制御する。給水機構５８は、バルブ５８ｂの開閉を制御し、配管５８ａ内を水が流れる状態と流れない状態とを切り換える。給水機構５８は、バルブ５８ｂを開くことで、ゲート内領域２６と港湾５との間で水が流れる状態とする。また、給水機構５８は、配管５８ａに逆止弁を設け、所定の方向以外に水が流れないようにすることが好ましい。
【００４８】
次に、図８から図１４を用いて、汚染水管理システム１０ｂで実行する処理動作を説明する。ここで、汚染水管理システム１０ｂは、説明のため濃度計５０と、排水機構５２と、給水機構５４と、排水機構５６と、給水機構５８を備えているとしたが、全てを備えている必要はなく、図８から図１４のうち実行する処理動作に必要な構成を備えていればよい。図８から図１４の処理動作は、制御装置２８が各部の動作を制御することで実行することができる。
【００４９】
図８は、汚染水管理システムの処理動作の一例を示すフローチャートである。図８は、濃度計５０を用いた制御の一例である。制御装置２８は、外洋側ゲート２２ａを開く指示があるかを判定する（ステップＳ３２）。制御装置２８は、外洋側ゲート２２ａを開く指示がない（ステップＳ３２でＮｏ）と判定した場合、本処理を終了する。
【００５０】
制御装置２８は、外洋側ゲート２２ａを開く指示がある（ステップＳ３２でＹｅｓ）と判定した場合、濃度計５０により濃度を計測し（ステップＳ３２）、濃度が閾値以上であるかを判定する（ステップＳ３６）。濃度の閾値は、予め設定しておけばよい。制御装置２８は、濃度が閾値以上ではない（ステップＳ３６でＮｏ）、つまり汚染物質の濃度が閾値未満である場合、外洋側ゲート２２ａを開く（ステップＳ３８）。制御装置２８は、濃度が閾値以上である（ステップＳ３６でＹｅｓ）、つまり汚染物質の濃度が閾値以上である場合、外洋側ゲート２２ａを閉じた状態で維持する（ステップＳ３９）。
【００５１】
汚染水管理システム１０ｂは、濃度計５０で計測したゲート内領域２６の濃度が閾値以上である場合、外洋側ゲート２４ａを開かないようにすることで、許容できない汚染水が外洋に排出されることを抑制することができる。
【００５２】
図９は、汚染水管理システムの処理動作の一例を示すフローチャートである。図９は、排水機構５２と、排水機構５６を用いた制御の一例である。制御装置２８は、両方のゲート、つまり外洋側ゲート２２ａと港湾側ゲート２４ａが閉じられているかを判定する（ステップＳ４２）。制御装置２８は、両方のゲートが閉じられていない（ステップＳ４２でＮｏ）と判定した場合、本処理を終了する。
【００５３】
制御装置２８は、両方のゲートが閉じられている（ステップＳ４２でＹｅｓ）と判定した場合、港湾側ポンプ、つまり排水機構５６のポンプ５６ｂを駆動し、ゲート内領域２６の海水を港湾５に排出し（ステップＳ４４）、外洋側ポンプ、つまり排水機構５２のポンプ５２ｂを駆動し、外洋１の海水をゲート内領域２６に流入させる（ステップＳ４６）。
【００５４】
汚染水処理システム１０ｂは、図９の処理を行うことで、ゲート内領域２６の汚染物質の濃度を低減することができる。これにより、外洋側ゲート２２ａを開いた場合に、外洋１に流出する汚染物質の量を低減することができる。
【００５５】
図１０は、汚染水管理システムの処理動作の一例を示すフローチャートである。図１０は、給水機構５４と、排水機構５６を用いた制御の一例である。制御装置２８は、両方のゲートが閉じられているかを判定する（ステップＳ５２）。制御装置２８は、両方のゲートが閉じられていない（ステップＳ５２でＮｏ）と判定した場合、本処理を終了する。
【００５６】
制御装置２８は、両方のゲートが閉じられている（ステップＳ５２でＹｅｓ）と判定した場合、港湾側ポンプ、つまり排水機構５６のポンプ５６ｂを駆動し、ゲート内領域２６の海水を港湾５に排出し（ステップＳ５４）、外洋側バルブ、つまり給水機構５４のバルブ５４ｂを開き、外洋１の海水をゲート内領域２６に流入させる（ステップＳ５６）。
【００５７】
汚染水処理システム１０ｂは、図１０の処理を行うことでも、ゲート内領域２６の汚染物質の濃度を低減することができる。これにより、外洋側ゲート２２ａを開いた場合に、外洋１に流出する汚染物質の量を低減することができる。
【００５８】
図１１は、汚染水管理システムの処理動作の一例を示すフローチャートである。図１１は、外洋側ゲート２２ａと、排水機構５６を用いた制御の一例である。制御装置２８は、両方のゲートが閉じられているかを判定する（ステップＳ６２）。制御装置２８は、両方のゲートが閉じられていない（ステップＳ６２でＮｏ）と判定した場合、本処理を終了する。
【００５９】
制御装置２８は、両方のゲートが閉じられている（ステップＳ６２でＹｅｓ）と判定した場合、港湾側ポンプ、つまり排水機構５６のポンプ５６ｂを駆動し、ゲート内領域２６の海水を港湾５に排出し（ステップＳ６４）、外洋側ゲート２２ａを所定の開度まで開き、外洋１の海水をゲート内領域２６に流入させる（ステップＳ６６）。つまり、図１２に示すように、駆動機構４２により扉体４０を所定高さまで持ち上げて、扉体４０の底面と通路２０の底との間を開け、外洋１の海水をゲート内領域２６に流入させる。このとき、排水機構５６による排水量と、扉体４０の底面と通路２０の底との間からの海水の流入量を調整し、ゲート内領域２６内の水位を外洋１の水位よりも低くする。このように、扉体４０の底面と通路２０の底との間を介した外洋１とゲート内領域２６との間の水圧を不均衡にし、ゲート内領域２６の圧を外洋１よりも低くすることで、外洋１の海水をゲート内領域２６に流入させる。
【００６０】
汚染水処理システム１０ｂは、図１１の処理を行うことでも、ゲート内領域２６の汚染物質の濃度を低減することができる。これにより、外洋側ゲート２２ａを開いた場合に、外洋１に流出する汚染物質の量を低減することができる。
【００６１】
以上のように、汚染水処理システム１０ｂは、排水機構５６を用いてゲート内領域２６の汚染水を港湾５に排出しつつ、各種機構で外洋１の海水をゲート内領域２６に流入させることで、ゲート内領域２６内の汚染物質の濃度を低減させることで、外洋１に流出する汚染物質の量を低減することができる。また、図９、図１０、図１１に示す処理は、常時実行してもよいが、条件を満たす場合例えば、濃度が閾値以上の場合のみ実行するようにしてもよい。例えば、図９、図１０、図１１に示す処理は、図８に示す処理と並行して実行することで、濃度が低減した場合、外洋側ゲート２２ａが開かれる処理動作を実行することができる。
【００６２】
図１３は、汚染水管理システムの処理動作の一例を示すフローチャートである。図１３は、排水機構５６を用いた制御の一例である。制御装置２８は、両方のゲートが閉じられているかを判定する（ステップＳ７２）。制御装置２８は、両方のゲートが閉じられていない（ステップＳ７２でＮｏ）と判定した場合、本処理を終了する。
【００６３】
制御装置２８は、両方のゲートが閉じられている（ステップＳ７２でＹｅｓ）と判定した場合、ゲート内領域２６は港湾５内の水である、つまりゲート領域２６内に充填されている水が港湾５の水であるかを判定する（ステップＳ７４）。制御装置２８は、直近で開いていたゲートを検出することで、ゲート内領域２６内の水が外洋１の水か港湾５の水であるかを判定することができる。制御装置２８は、ゲート内領域２６は港湾５内の水ではない（ステップＳ７４でＮｏ）と判定した場合、本処理を終了する。
【００６４】
制御装置２８は、ゲート内領域２６は港湾５内の水である（ステップＳ７４でＹｅｓ）と判定した場合、港湾側ポンプ、つまり排水機構５６のポンプ５６ｂを駆動し、ゲート内領域２６の海水を港湾５に排出する（ステップＳ７６）。制御装置２８は、ゲート内領域２６の排水を完了したか、つまり、ゲート内領域２６に水が貯留されていない状態になったかを判定する（ステップＳ７８）。制御装置２８は、排水が完了していない（ステップＳ７８でＮｏ）と判定した場合、ステップＳ７６に戻り、排水が完了した（ステップＳ７８でＹｅｓ）と判定した場合、ゲート開可能状態に設定し（ステップＳ７９）、本処理を終了する。ゲート開可能状態とは、ゲートを開く指示を検出した場合、ゲートを開く処理の実行を許可する状態である。
【００６５】
汚染水処理システム１０ｂは、図１３の処理を行い、ゲート内領域２６の水を全て排出することで、ゲート内領域２６から外洋１に汚染物質が流出することを抑制できる。これにより、外洋側ゲート２２ａを開いた場合に、外洋１に流出する汚染物質の量を低減することができる。
【００６６】
また、上記実施形態では、ゲート内領域２６に水が貯留されていない状態まで排水を行ったが、所定の水位まで減少するまで排水を行うようにしてもよい。これにより、外洋に排出される汚染物質を少なくすることができる。また、排水にかかる時間を短くすることができ、ゲート内領域２６にある船舶の船底がゲート内領域２６の底面と接することを抑制できる。
【００６７】
また、制御装置２８は、図１３のステップＳ７４の処理を実行せず、ゲート領域２６内にある水は、常に港湾５内に排出するようにしてもよい。これにより、港湾５の水が外洋１に排出されることを抑制できる。
【００６８】
図１４は、汚染水管理システムの処理動作の一例を示すフローチャートである。図１４は、排水機構５２を用いた制御の一例である。制御装置２８は、両方のゲートが閉じられているかを判定する（ステップＳ８２）。制御装置２８は、両方のゲートが閉じられていない（ステップＳ８２でＮｏ）と判定した場合、本処理を終了する。
【００６９】
制御装置２８は、両方のゲートが閉じられている（ステップＳ８２でＹｅｓ）と判定した場合、ゲート内領域２６は外洋１内の水である、つまりゲート領域２６内に充填されている水が外洋１の水であるかを判定する（ステップＳ８４）。制御装置２８は、ゲート内領域２６は外洋１の水ではない（ステップＳ８４でＮｏ）と判定した場合、本処理を終了する。
【００７０】
制御装置２８は、ゲート内領域２６は外洋１の水である（ステップＳ８４でＹｅｓ）と判定した場合、外洋側ポンプ、つまり排水機構５２のポンプ５２ｂを駆動し、ゲート内領域２６の海水を外洋１に排出する（ステップＳ８６）。制御装置２８は、ゲート内領域２６の排水を完了したかを判定する（ステップＳ８８）。制御装置２８は、排水が完了していない（ステップＳ８８でＮｏ）と判定した場合、ステップＳ８６に戻り、排水が完了した（ステップＳ８８でＹｅｓ）と判定した場合、ゲート開可能状態に設定し（ステップＳ８９）、本処理を終了する。
【００７１】
汚染水処理システム１０ｂは、図１４の処理を行い、ゲート内領域２６の水が外洋側の水である場合、水を外洋側に排出することで、港湾５内の水が増加することを抑制できる。また、図１４に示す処理も完全に排水せずに所定の水位まで減少するまで排水を行うようにしてもよい。
【００７２】
次に、図１５及び図１６を用いて汚染水管理システムの他の実施形態について説明する。図１５は、汚染水管理システムの他の実施形態の概略構成を示す上面図である。図１６は、図１５に示す汚染水管理システムの概略構成を示す断面図である。図１５及び図１６に示す汚染水管理システム１０ｃは、汚染水管理システム１０ａにさらに浄化装置６０を追加したものである。汚染水管理システム１０ｃの中で、汚染水管理システム１０ａと同様の構成には、同様の符号を付して説明を省略する。
【００７３】
図１５及び図１６に示す汚染水管理システム１０ｃは、通路２０と、外洋側ゲート（第１ゲート）２２ａと、港湾側ゲート（第２ゲート）２４ａと、制御装置２８と、濃度計５０と、浄化装置６０と、を有する。濃度計５０は、汚染水管理システム１０ｂの濃度計５０と同様の機構である。浄化装置６０は、ゲート内領域２６の水を浄化する。具体的には、浄化装置６０は、ゲート内領域２６の水に含まれる汚染物質（例えば放射性物質）を除去する。浄化装置６０としては、汚染物質を除去する種々の装置を用いることができる。
【００７４】
次に、図１７を用いて汚染水管理システム１０ｃの処理動作について説明する。図１７は、汚染水管理システムの処理動作の一例を示すフローチャートである。制御装置２８は、両方のゲートが閉じられているかを判定する（ステップＳ９２）。制御装置２８は、両方のゲートが閉じられていない（ステップＳ９２でＮｏ）と判定した場合、本処理を終了する。
【００７５】
制御装置２８は、両方のゲートが閉じられている（ステップＳ９２でＹｅｓ）と判定した場合、浄化装置６０を駆動させる（ステップＳ９４）。つまり制御装置２８は、ゲート内領域２６内の水の浄化を開始する。次に、制御装置２８は、濃度が閾値以下かを判定する（ステップＳ９６）。具体的には、制御装置２８は、濃度計５０で計測したゲート内領域２６内の汚染物質の濃度が閾値以下であるかを判定する。制御装置２８は、濃度が閾値以下ではない（ステップＳ９６でＮｏ）、つまり汚染物質の濃度が閾値より高いと判定した場合、ステップＳ９６に戻る。制御装置２８は、濃度が閾値以下である（ステップＳ９６でＹｅｓ）と判定した場合、浄化装置を停止する（ステップＳ９８）。
【００７６】
汚染水管理システム１０ｃは、浄化装置６０を設け、図１７の処理を行い、ゲート内領域２６の水を浄化することでも、ゲート内領域２６から外洋１に汚染物質が流出することを抑制できる。これにより、外洋側ゲート２２ａを開いた場合に、外洋１に流出する汚染物質の量を低減することができる。また、図１７に示す例では、濃度計の計測結果に基づいて浄化装置の停止を判定したが、濃度を計測せずに予め設定した時間、浄化装置で浄化処理を行うようにしてもよい。また制御装置２８は、港湾５の水がゲート内領域２６に流入した場合のみ、図１７の処理を実行するようにしてもよい。
【符号の説明】
【００７７】
１  外洋
２  陸地
４  防波堤
５  港湾
６  原子力施設（汚染物質排出施設）
８  取水口
９  船舶係止領域
１０、１０ａ、１０ｂ、１０ｃ  汚染水管理システム
１２、１２ａ、１２ｂ  船舶
２０  通路
２２、２２ａ  外洋側ゲート
２４、２４ａ  港湾側ゲート
２６  ゲート内領域
２８  制御装置
４０、４４  扉体  
４２、４６  駆動機構
５０  濃度計
５２、５６  排水機構
５２ａ、５４ａ、５６ａ、５８ａ  配管
５２ｂ、５６ｂ  ポンプ
５４、５８  給水機構
５４ｂ、５８ｂ  バルブ
６０  浄化装置
【図１】
2015190153.tif 000003
【図２】
2015190153.tif 000004
【図３】
2015190153.tif 000005
【図４】
2015190153.tif 000006
【図５】
2015190153.tif 000007
【図６】
2015190153.tif 000008
【図７】
2015190153.tif 000009
【図８】
2015190153.tif 000010
【図９】
2015190153.tif 000011
【図１０】
2015190153.tif 000012
【図１１】
2015190153.tif 000013
【図１２】
2015190153.tif 000014
【図１３】
2015190153.tif 000015
【図１４】
2015190153.tif 000016
【図１５】
2015190153.tif 000017
【図１６】
2015190153.tif 000018
【図１７】
2015190153.tif 000019